(57)【特許請求の範囲】
【請求項１】
案内部材に案内されて、前記案内部材に沿って往復移動するメインキャリッジと、
前記メインキャリッジに搭載されて、前記往復移動の方向に直交する方向に変位して前
記メインキャリッジに対する相対位置を調節できるサブキャリッジと、
前記サブキャリッジに搭載されて被記録媒体に向かってインクを吐出する記録ヘッドと、
前記サブキャリッジおよび前記メインキャリッジの間に介在して、前記メインキャリッジから前記サブキャリッジへの振動の伝播を遮断する緩衝部材を含み、調節された前記相対位置を保持する保持部を備え、
前記保持部は、
前記メインキャリッジおよび前記サブキャリッジの一方に形成された長穴と、
前記長穴に挿通され、且つ、前記メインキャリッジおよび前記サブキャリッジの他方に固定された軸部を含む連結部材と、
伸張方向に付勢された付勢部材と
を含み、
前記緩衝部材は、前記メインキャリッジおよび前記サブキャリッジの一方を介して前記付勢部材に付勢され、前記メインキャリッジおよび前記サブキャリッジの他方に対して押し付けられる弾性部材を含む記録装置。
【請求項２】
前記緩衝部材は、エラストマまたはゲルを含む高分子系材料により形成される請求項１に記載の記録装置。
【請求項３】
前記メインキャリッジに対する前記サブキャリッジの変移の方向について、前記保持部よりも前記記録ヘッドから遠い位置に配置され、
調節された前記相対位置を保持する副保持部を更に備える請求項１に記載の記録装置。
【請求項４】
案内部材に案内されて、前記案内部材に沿って往復移動するメインキャリッジと、
前記メインキャリッジに搭載されて、前記往復移動の方向に直交する方向に変位して前
記メインキャリッジに対する相対位置を調節できるサブキャリッジと、
前記サブキャリッジに搭載されて被噴射媒体に向かって液体を噴射する液体噴射ヘッド
と、
前記サブキャリッジおよび前記メインキャリッジの間に介在して、前記メインキャリッジから前記サブキャリッジへの振動の伝播を遮断する緩衝部材を含み、調節された前記相対位置を保持する保持部を備え、
前記保持部は、
前記メインキャリッジおよび前記サブキャリッジの一方に形成された長穴と、
前記長穴に挿通され、且つ、前記メインキャリッジおよび前記サブキャリッジの他方に固定された軸部を含む連結部材と、
伸張方向に付勢された付勢部材と
を含み、
前記緩衝部材は、前記メインキャリッジおよび前記サブキャリッジの一方を介して前記付勢部材に付勢され、前記メインキャリッジおよび前記サブキャリッジの他方に対して押し付けられる弾性部材を含む液体噴射装置。
【発明の詳細な説明】
【技術分野】
【０００１】
本発明は記録装置および液体噴射装置に関する。より詳細には、往復移動するメインキャリッジと、メインキャリッジに対して装着されると共に記録ヘッドまたは液体噴射ヘッドを搭載するサブキャリッジとを備えた記録装置および液体噴射装置に関する。
【背景技術】
【０００２】
微細なノズルを備えた記録ヘッドからインク等の液体を吐出して被記録媒体に付着させて画像を形成する記録装置がある。この種の記録装置では、主走査方向に延在するガイドレールに沿って往復移動するキャリッジに記録ヘッドを搭載すると共に、主走査方向に対して交差する搬送方向に被記録媒体を移動させる搬送部を備える。そして、記録ヘッドの主走査と被記録媒体の搬送とを組み合わせることにより、被記録媒体上の任意の領域に液体を付着させて画像を形成する。
【０００３】
このような構造を有する記録装置において、キャリッジが往復移動する場合に発生する振動が記録ヘッドに伝達されると、記録ヘッドから吐出されるインクの飛翔方向にもぶれが生じ、被記録媒体に形成される画像の品質が低下する場合がある。そこで、記録ヘッドを振動から遮断する構造が種々試みられている。
【０００４】
下記の特許文献１には、印刷ヘッドがキャリッジに対して可動に連結されているとともに、その可動方向両側から少なくとも一側には緩衝要素を介して当接支持されている構造が記載される。これにより、駆動力源であるモータ等において発生した振動の記録ヘッドへの伝播が低減される。
【特許文献１】特開２００５−１７８０２３号公報
【発明の開示】
【発明が解決しようとする課題】
【０００５】
例えば、記録装置が大型化してキャリッジの往復移動の距離が長くなった場合、キャリッジの移動速度も高くなる。そこで、ガイドレールに対するキャリッジの移動を円滑にする目的で、ボールベアリング等の転がり軸受けを介してキャリッジを支持する構造が採られる場合がある。しかしながら、転がり軸受けは、全体的な抵抗は低減させる替わりに、固有の振動を発生する。
【０００６】
転がり軸受けにおいて発生する振動は、モータ等の既存の振動源とは特性が異なる。このため、モータの振動を排除するために設けられた緩衝要素では、ボールベアリングの振動を効果的に排除することはできない。また、振動源から記録ヘッドへの振動の伝播経路も、記録ヘッドを搭載したキャリッジの支持構造を経由するものに限られない。
【０００７】
しかしながら、記録ヘッドに伝播する様々な種類の振動のそれぞれに対応した緩衝要素を設けることは、キャリッジの大型化を招くので好ましくない。また、製造コストの観点からも、多種多数の緩衝要素を装備させることは好ましくない。
【課題を解決するための手段】
【０００８】
そこで、上記課題を解決することを目的に、本発明の第１の形態として、転がり軸受けを介して案内部材に案内されて、前内部材に沿って往復移動するメインキャリッジと、メインキャリッジに搭載されて、往復移動の方向に直交する方向に変位してメインキャリッジに対する相対位置を調節できるサブキャリッジと、サブキャリッジに搭載されて被記録媒体に向かってインクを吐出する記録ヘッドと、サブキャリッジおよびメインキャリッジの間に介在して、メインキャリッジからサブキャリッジへの振動の伝播を遮断する緩衝部材を含み、調節された相対位置を保持する保持部とを備える記録装置が提供される。これにより、転がり軸受けの回転等に起因する振動の伝播は、メインキャリッジおよびサブキャリッジの間で遮断され、振動に起因する画像の乱れが抑制される。
【０００９】
また、上記記録装置において、保持部は、メインキャリッジおよびサブキャリッジの一方に形成された長穴と、長穴に挿通され、且つ、メインキャリッジおよびサブキャリッジの他方に固定された軸部を含む連結部材と、伸張方向に付勢された付勢部材とを含み、緩衝部材は、メインキャリッジおよびサブキャリッジの一方を介して付勢部材に付勢され、メインキャリッジおよびサブキャリッジの他方に対して押し付けられる弾性部材を含んでもよい。これにより、最小限の部材により、サブキャリッジへの振動の伝播を効果的に遮断できる。なお、緩衝部材は、サブキャリッジへの伝播を遮断しようとする振動の周波数と大きく異なる固有振動数を有することが好ましい。これにより、記録ヘッドを搭載したサブキャリッジの振動を効果的に抑制できる。
【００１０】
更に、上記記録装置において、緩衝部材は、エラストマまたはゲルを含む高分子系材料により形成されてもよい。これにより、廉価且つ小型の部品を用いて振動を効果的に遮断できる。
【００１１】
また更に、上記記録装置において、メインキャリッジに対するサブキャリッジの変移の方向について、保持部よりも記録ヘッドから遠い位置に配置され、緩衝部材を有していない副保持部を更に備えてもよい。これにより、サブキャリッジのメインキャリッジに対する位置決めが確実になり、記録ヘッドを安定に搭載して記録動作を実行できる。
【００１２】
また更に、上記記録装置において、緩衝部材は、振動により応力が付与される方向と直交する方向の径が、厚さ方向に沿って連続的に変化する形状を有してもよい。これにより、緩衝部材は非線形の弾性率を有し、より広い範囲で振動を遮断できる。
【００１３】
更に、本発明の第２の形態として、往復移動するメインキャリッジと、メインキャリッジを転がり軸受けを介して支持しつつその往復移動を案内する案内部材と、メインキャリッジに搭載されて、往復移動の方向に直交する方向に変位させることによりメインキャリッジに対する位置を調節できるサブキャリッジと、サブキャリッジに搭載されて被記録媒体に向かって液体を吐出する液体噴射ヘッドと、メインキャリッジからサブキャリッジへの振動の伝播を遮断する緩衝部材を介してサブキャリッジをメインキャリッジに向かって付勢する付勢部材を含み、調節されたサブキャリッジのメインキャリッジに対する位置を保持する保持部とを備える液体噴射装置が提供される。これにより、液体噴射装置においても上記の効果を享受できる。
【００１４】
なお、上記発明の概要は、本発明の必要な特徴の全てを列挙したものではない。また、これらの特徴群のサブコンビネーションも発明となり得る。
【発明を実施するための最良の形態】
【００１５】
以下、発明の実施の形態を通じて本発明を説明する。ただし、以下の実施形態は特許請求の範囲に係る発明を限定するものではない。また、実施形態の中で説明される特徴の組み合わせの全てが発明の解決手段に必須であるとは限らない。
【００１６】
図１は、実施の形態に係るインクジェット式記録装置１００の斜視図である。同図に示すように、このインクジェット式記録装置１００は、長手方向が水平に配置された記録部１４０と、記録部１４０の端部に装着された筐体１１０と、記録部１４０の上側に装着された装填部１３０と、記録部１４０および筐体１１０を下方から支持する脚部１７０とを備える。
【００１７】
装填部１３０には、長尺の被記録媒体１９１を巻き重ねて形成したロール組立体１９０（図５参照）が装填されるが、この図ではロール組立体１９０はロールカバー１３２に覆われる。また、装填部１３０には、リリースレバー１３４が設けられ、装填されたロール組立体１９０の脱着を助ける。一方、記録部１４０においては、トップカバー１４２およびフロントカバー１４４がその内部機構を覆う。記録部１４０の内部には後述する記録ヘッド１４３（図５参照）が配置され、装填部１３０から記録部１４０に給送された被記録媒体１９１に対してインクが吐出される。
【００１８】
装填部１３０から給送されて記録部１４０において画像を形成された被記録媒体１９１は、記録部１４０の下方に形成された排出部１６０に排出される。なお、脚部１７０は、排出部１６０を通過した被記録媒体１９１をスタックするスペースを排出部１６０の下側に形成する。
【００１９】
筐体１１０は、記録部１４０から退避した記録ヘッド１４３が待機するホームポジションのスペースを形成すると共に、その下部に、カートリッジホルダ１２０を有する。カートリッジホルダ１２０には、記録ヘッド１４３に供給するインクを収容したインクカートリッジ１２４が装着される。また、筐体１１０の上面には、操作パネル１８０が配置される。操作パネル１８０は、ユーザが操作するスイッチ１８２の他、インクジェット式記録装置１００の動作状態を示す表示部１８４等も含む。
【００２０】
図２は、フロントカバー１４４を取り外して記録部１４０の内部を露出させたインクジェット式記録装置１００の斜視図である。同図に示すように、記録部１４０の内部には、その全幅にわたってプラテンプレート１５２が配置される。プラテンプレート１５２は、後述するようにその表面に負圧が形成され、装填部１３０のロール組立体１９０から引き出されて給送された被記録媒体１９１を吸着する。これにより、プラテンプレート１５２上において、被記録媒体１９１が平坦になると共に、その位置が決められる。
【００２１】
また、フロントカバー１４４を取り外した状態では、開口の下端に沿って、記録部フレーム１４１が露出する。記録部フレーム１４１は、記録部１４０の強度を担保する構造材であると同時に、後述する管路／線路組立体を支持する部材でもある。
【００２２】
図３は、インクジェット式記録装置１００における記録部１４０の内部機構２００を部分的に抜き出して示す図である。同図に示すように、キャリッジエンコーダスケール１５０の直上には、記録部１４０の全幅にわたってガイドレール１４５が配置される。記録ヘッド１４３を搭載したキャリッジ４００は、ガイドレール１４５に沿って往復移動する。
【００２３】
ここで、キャリッジ４００に搭載された記録ヘッド１４３には、インクと駆動信号が供給される。このため、キャリッジ４００には、フラットチューブ１４７およびフラットケーブル１４９の一端が結合される。キャリッジ４００から出たフラットチューブ１４７およびフラットケーブル１４９は、下方に屈曲した後、記録部フレーム１４１に沿って延在して、やがて、記録部フレーム１４１の下に入り込む。フラットチューブ１４７の他端は、カートリッジホルダ１２０に収容されたインクカートリッジ１２４に連通する。また、フラットケーブル１４９の他端は、インクジェット式記録装置１００の内部回路（不図示）に結合される。
【００２４】
また、フラットチューブ１４７およびフラットケーブル１４９は、クランプ部材１３９により相互に結束されて一体化されて管路／線路組立体を形成する。管路／線路組立体を形成したフラットチューブ１４７およびフラットケーブル１４９は、記録部フレーム１４１の上面に対して固定されておらず、キャリッジ４００が移動した場合に、その屈曲部を移動させてキャリッジ４００に追従する。なお、図３に示す状態では、キャリッジ４００はガイドレール１４５右端のホームポジションに位置している。
【００２５】
図４は、図３に示した内部機構２００を、インクジェット式記録装置１００の側面側から見た様子を示す図である。同図に示すように、記録ヘッド１４３を搭載したキャリッジ４００は、片側４個のボールベアリング２９０により挟むことによりガイドレール１４５から懸架される。これにより、キャリッジ４００は、ガイドレール１４５に沿って円滑に移動する。
【００２６】
図５は、インクジェット式記録装置１００における被記録媒体１９１の給送経路３００を示す模式的な断面図である。同図に示すように、給送経路３００は、装填部１３０内のロール組立体１９０から始まり、記録部１４０内を経て排出部１６０に至る。
【００２７】
装填部１３０においは、ロールカバー１３２の内部にはロール組立体１９０が装填される。ロール組立体１９０は、芯となる紙管１９２の外面に長尺の連続した被記録媒体１９１を巻き重ねて形成される。これにより、大判の被記録媒体１９１を取り扱い易くしている。更に、紙管１９２の内側には金属製のスピンドル部材１９４が挿通され、スピンドル部材１９４の両端が装填部１３０のスピンドル支持部１３６に支持される。なお、被記録媒体１９１は、紙の他、樹脂フィルム、テキスタイル製品等の場合もある。
【００２８】
記録部１４０には、被記録媒体１９１を給送する給送部１１１、被記録媒体１９１にインクを吐出する記録ヘッド１４３、記録ヘッド１４３を搭載したキャリッジ４００、被記録媒体１９１を支持するプラテンプレート１５２等が配置される。給送部１１１は、図示していない給送モータにより回転駆動される給送駆動ローラ１１２と、給送駆動ローラ１１２に当接して連れ回される給送従動ローラ１１４とを含む。被記録媒体１９１は、給送駆動ローラ１１２および給送従動ローラ１１４の間に挟まれ、給送従動ローラ１１４により給送駆動ローラ１１２に押し付けられることにより、給送駆動ローラ１１２の回転に従ってロール組立体１９０から引き出される。
【００２９】
ロール組立体１９０から引き出されて給送部１１１を通過した被記録媒体１９１は、記録ヘッド１４３に対向する位置を通過する。このとき、被記録媒体１９１は、記録ヘッド１４３と対向するプラテンプレート１５２により支持される。これにより、プラテンプレート１５２上の被記録媒体１９１は、記録ヘッド１４３に対して一定の間隔をおいて位置決めされる。
【００３０】
プラテンプレート１５２の後方（図上右側）には、図示していないファンユニットが配置され、図中に矢印Ａで示すように、プラテンプレート１５２から吸引した空気を排出ダクト１５９から外部へ排出する。これにより、プラテンプレート１５２の表面に負圧が形成されて、被記録媒体１９１がプラテンプレート１５２に吸いつけられる。
【００３１】
記録ヘッド１４３はキャリッジ４００に搭載され、キャリッジ４００はガイドレール１４５から懸架される。ガイドレール１４５は、図４の紙面に垂直に、記録部１４０の略全幅にわたって延在して、キャリッジ４００の往復移動を案内する。なお、記録ヘッド１４３が吐出するインクは、図示していないパイプを通じてインクカートリッジ１２４から供給される。従って、キャリッジ４００にはインクカートリッジ１２４は搭載されず、キャリッジ４００および記録ヘッド１４３の組立体が軽量になる。
【００３２】
図６は、記録ヘッド１４３を搭載したキャリッジ４００の詳細な構造を示す斜視図である。同図に示すように、キャリッジ４００は、メインキャリッジ２１０およびサブキャリッジ２２０を含む。サブキャリッジ２２０は、上側連結部２３０および下側連結部２４０を介してメインキャリッジ２１０から支持されて、メインキャリッジと共に往復移動する。また、メインキャリッジ２１０は、サブキャリッジ２２０の他に、カッタユニット２５０等も搭載する。
【００３３】
サブキャリッジ２２０は、調整レバー２８０を介した操作を受けて、記録ヘッド１４３からのインクの吐出方向について、メインキャリッジ２１０に対して変位する。これにより、被記録媒体１９１および記録ヘッド１４３の間隔であるプラテンギャップを調整して、被記録媒体１９１の厚さ等が変化した場合に記録品質を維持できる。ただし、サブキャリッジ２２０は、メインキャリッジ２１０に対してガタが生じないように、ばね２２６により上方に付勢される。
【００３４】
記録ヘッド１４３は、記録ヘッドケース２７６に収容された状態で、サブキャリッジ２２０の下面に形成された穴に落とし込まれる。記録ヘッドケース２７６は、ばね２２４により付勢された押さえレバー２２２により後方に向かって付勢される。これにより、記録ヘッドケース２７６の取り付け位置を後方に寄せてサブキャリッジ２２０に対する取り付け位置を一定にすると共に、サブキャリッジ２２０に対して生じるガタを防止している。なお、記録ヘッドケース２７６の剛性は補強板金２６０により高められる。
【００３５】
記録ヘッド１４３の上面側には、逆止弁１４６とコネクタ２７０が設けられる。インクジェット式記録装置１００が稼働する状態では、記録ヘッド１４３にインクを供給する管路が逆止弁１４６に結合される。また、コネクタ２７０にはフラットケーブル１４９の先端が接続される。フラットケーブル１４９は、記録ヘッド１４３に駆動信号を供給する。
【００３６】
なお、メインキャリッジ２１０は、例えば、軽量で強度の高いＦＲＰ（繊維強化プラスチック）等により形成される。また、サブキャリッジ２２０は、加工が容易で軽量な、例えばアルミニウムまたはその合金の板材により形成される。
【００３７】
図７は、キャリッジ４００におけるサブキャリッジ２２０のメインキャリッジ２１０に対する連結構造を示す断面図である。同図に示すように、メインキャリッジ２１０に対して、サブキャリッジ２２０は、互いに上下に離隔して配置された上側連結部２３０および下側連結部２４０により連結される。
【００３８】
上側連結部２３０は、サブキャリッジ２２０に形成された長穴２２３に挿通され、メインキャリッジ２１０に埋め込まれた埋め込みナット２３４に螺入された連結ボルト２３２により結合される。また、後述するように、メインキャリッジ２１０およびサブキャリッジ２２０の間には、伸張する方向に付勢されたばね２３１が挟まれる。これにより、サブキャリッジ２２０は、連結ボルト２３２の頭部に向かって押し付けられる。
【００３９】
下側連結部２４０も、サブキャリッジ２２０に形成された長穴２２５に挿通され、メインキャリッジ２１０に埋め込まれた埋め込みナット２４４に螺入された連結ボルト２４２により結合される。また、サブキャリッジ２２０および連結ボルト２４２の頭部の間には、伸張する方向に付勢されたばね２４１が挟まれる。これにより、サブキャリッジ２２０は、メインキャリッジ２１０に向かって押し付けられる。
【００４０】
上記のような連結構造において、連結ボルト２３２、２４２の各々は、サブキャリッジ２２０に上下方向に長く形成された長穴２２３、２２５に挿通された上で、メインキャリッジ２１０に埋め込まれた埋め込みナット２３４、２４４に螺入される。従って、長穴２２３、２２５の長さ（高さ）の範囲内で、サブキャリッジ２２０はメインキャリッジ２１０に対して上下に移動できる。
【００４１】
図４および図５から判るように、図７におけるサブキャリッジ２２０のメインキャリッジ２１０に対する移動は、記録ヘッド１４３の被記録媒体１９１に対する間隔の変化となる。従って、サブキャリッジ２２０をメインキャリッジ２１０に対して移動させることにより、サブキャリッジ２２０の被記録媒体１９１に対する間隔であるプラテンギャップを調節できる。なお、この実施形態では、メインキャリッジ２１０およびサブキャリッジ２２０は、連結ボルト２３２および埋め込みナット２３４により連結されるが、例えば、リベット等の他の部材により結合することもできる。
【００４２】
図８は、キャリッジ４００における上側連結部２３０の構造を拡大して示す断面図である。同図に示すように、メインキャリッジ２１０に埋め込まれた埋め込みナット２３４に対して、サブキャリッジ２２０の長穴２２３に挿通された連結ボルト２３２の先端が螺入される。これにより、サブキャリッジ２２０は、メインキャリッジ２１０に対して連結されると共に、長穴２２３の長さ（図８では高さ）の範囲でメインキャリッジ２１０に対して変位する。
【００４３】
また、連結ボルト２３２の頭部とサブキャリッジ２２０との間には、長穴２２３の幅よりも大きな径を有するワッシャ２３９が挟まれる。これにより、連結ボルト２３２の頭部が長穴２２３から抜けることが防止される。
【００４４】
更に、メインキャリッジ２１０およびサブキャリッジ２２０の間において、連結ボルト２３２は、メインキャリッジ２１０に当接するフランジ部を有するスリーブ２３５と、サブキャリッジ２２０に当接するフランジ部を有するスリーブ２３３とを貫通している。スリーブ２３３、２３５のフランジ部の間には、伸張方向に付勢されたばね２３１が挟まれる。
【００４５】
これにより、サブキャリッジ２２０は、スリーブ２３３のフランジ部を介してばね２３１により連結ボルト２３２の頭部に押し付けられる。従って、上側連結部２３０において、サブキャリッジ２２０の連結ボルト２３２に対するがたが抑制される。
【００４６】
図９は、キャリッジ４００における下側連結部２４０における取り付け構造を拡大して示す図である。同図に示すように、メインキャリッジ２１０に埋め込まれた埋め込みナット２４４に対して、サブキャリッジ２２０の長穴２２５に挿通された連結ボルト２４２の先端が螺入される。これにより、サブキャリッジ２２０は、メインキャリッジ２１０に対して連結されると共に、長穴２２５の長さ（図８では高さ）の範囲でメインキャリッジ２１０に対して上下に変位する。
【００４７】
また、連結ボルト２４２の頭部からメインキャリッジ２１０の表面付近までの間は、サブキャリッジ２２０およびメインキャリッジ２１０の間に位置するフランジ部を有するスリーブ２４７が装着される。スリーブ２４７のフランジ部は、長穴２２５よりも大きな径を有する。また、スリーブ２４７のフランジ部とメインキャリッジ２１０との間には、弾性ワッシャ２４９が挟まれる。弾性ワッシャ２４９は、エラストマ、ゲル等の高分子材料により形成される。
【００４８】
更に、メインキャリッジ２１０およびサブキャリッジ２２０の間においては、連結部連結ボルト２４２の頭部に当接するフランジ部を有するスリーブ２４３と、サブキャリッジ２２０に当接するフランジ部を有するスリーブ２４５とが、スリーブ２４７の外側に装着される。スリーブ２４３、２４５のフランジ部の間には伸張方向に付勢されたばね２４１が挟まれる。
【００４９】
これらの構造により、下側連結部２４０において、サブキャリッジ２２０は、スリーブ２４５のフランジ部とスリーブ２４７のフランジ部との間に挟まれる。ここで、スリーブ２４５のフランジ部は、ばね２４１によりサブキャリッジ２２０に押し付けられる。また、スリーブ２４７のフランジ部は、弾性ワッシャ２４９を介してメインキャリッジ２１０に支持される。従って、サブキャリッジ２２０は、双方の面から弾性的に支持される。
【００５０】
弾性ワッシャ２４９の固有振動数は、金属製のコイルばねであるばね２４１の固有振動数とは異なる。また、転がり軸受け等から発生してメインキャリッジ２１０に伝播される振動の振動数とも異なる。これにより、メインキャリッジ２１０からサブキャリッジ２２０に伝播される振動は効果的に減衰される。更に、弾性ワッシャ２４９の径を、その厚さ方向沿って変化させることにより非線形特性を与え、より広い範囲で振動を遮断することも好ましい。
【００５１】
このように、メインキャリッジ２１０に対して変位するサブキャリッジ２２０を、その連結部において双方向について弾性的に支持することにより、サブキャリッジ２２０を確実に位置決めすると同時に、振動の伝達を抑制できる。従って、記録ヘッド１４３の振動に起因する記録画像の劣化が防止される。
【００５２】
上記の実施形態では、インクジェット式記録装置１００を例に挙げて具体的な構成を説明したが、この液体噴射装置は、例えば、液晶ディスプレイ用カラーフィルタの製造における色材噴射装置、有機ＥＬディスプレイ、ＦＥＤ（面発光ディスプレイ）等の製造における電極形成装置、バイオチップ製造に使用する試料噴射ヘッド、精密ピペットとしての試料噴射ヘッド、付け爪に絵、文字等を描く装置等としても実施でき、更に、これらに限定されない。
【００５３】
以上、本発明を実施の形態を用いて説明したが、本発明の技術的範囲は上記実施の形態に記載の範囲には限定されない。上記実施の形態に、多様な変更または改良を加え得ることは当業者に明らかである。また、そのような変更または改良を加えた形態も本発明の技術的範囲に含まれ得ることが、特許請求の範囲の記載から明らかである。
【図面の簡単な説明】
【００５４】
【図１】インクジェット式記録装置１００の外観を示す斜視図である。
【図２】インクジェット式記録装置１００からフロントカバー１４４を取り外した様子を示す斜視図である。
【図３】インクジェット式記録装置１００の内部機構２００を示す斜視図である。
【図４】内部機構２００を側方から見た様子を示す図である。
【図５】被記録媒体１９１の給送経路３００を示す断面図である。
【図６】キャリッジ４００を単独で示す斜視図である。
【図７】サブキャリッジ２２０のメインキャリッジ２１０に対する取り付け構造を示す断面図である。
【図８】上側連結部２３０における取り付け構造を拡大して示す図である。
【図９】下側連結部２４０における取り付け構造を拡大して示す図である。
【符号の説明】
【００５５】
１００  インクジェット式記録装置、１１０  筐体、１１１  給送部、１１２  給送駆動ローラ、１１４  給送従動ローラ、１２０  カートリッジホルダ、１３０  装填部、１３２  ロールカバー、１３４  リリースレバー、１３６  スピンドル支持部、１３９  クランプ部材、１４０  記録部、１４１  記録部フレーム、１４２  トップカバー、１４３  記録ヘッド、１４４  フロントカバー、１４５  ガイドレール、１４６  逆止弁、１４７  フラットチューブ、１４９  フラットケーブル、１５０  キャリッジエンコーダスケール、１５２  プラテンプレート、１５９  排出ダクト、１６０  排出部、１７０  脚部、１８０  操作パネル、１８２  スイッチ、１８４  表示部、１９０  ロール組立体、１９１  被記録媒体、１９２  紙管、１９４  スピンドル部材、２００  内部機構、２１０  メインキャリッジ、２２０  サブキャリッジ、２２３、２２５  長穴、２２４、２２６、２３１、２４１  ばね、２３０  上側連結部、２３２、２４２  連結ボルト、２３３、２３５、２４３、２４５、２４７  スリーブ、２３４、２４４  埋め込みナット、２３９  ワッシャ、２４０  下側連結部、２４９  弾性ワッシャ、２５０  カッタユニット、２６０  補強板金、２７０  コネクタ、２７６  記録ヘッドケース、２８０  調整レバー、２９０  ボールベアリング、３００  給送経路、４００  キャリッジ
【図１】
0005056232.tif 000002
【図２】
0005056232.tif 000003
【図３】
0005056232.tif 000004
【図４】
0005056232.tif 000005
【図５】
0005056232.tif 000006
【図６】
0005056232.tif 000007
【図７】
0005056232.tif 000008
【図８】
0005056232.tif 000009
【図９】
0005056232.tif 000010